(57)【要約】【課題】  ラジオ信号発信装置と音再生信号生成装置をコンパクトな状態で使用できるようにすること。【解決手段】  本発明に係るＦＭ信号発信装置５０は、ポータブル式の音再生信号生成装置１０と接続されて用いられ、その音再生信号生成装置１０で生成された音再生信号をＦＭ信号に変調して発信するものである。このＦＭ信号発信装置５０は、平面視された場合に音再生信号生成装置１０とＦＭ信号発信装置５０が重複するようにして音再生信号生成装置１０を保持する吸盤６２を備えることを特徴とする。この吸盤６２が斜め上方を向いているために、背面が吸盤６２に吸着している音再生信号生成装置１０のディスプレイ１２も斜め上方を向いている。【選択図】  図２
2005130400.tif 000002
【特許請求の範囲】
【請求項１】
ポータブル式の音再生信号生成装置と接続されて用いられ、その音再生信号生成装置で生成された音再生信号をラジオ信号に変調して発信するラジオ信号発信装置であり、
平面視された場合に音再生信号生成装置とラジオ信号発信装置が重複するようにして音再生信号生成装置を保持する手段を備えるラジオ信号発信装置。
【請求項２】
ディスプレイと操作部のうちの少なくとも一方が前面に設けられたポータブル式の音再生信号生成装置と接続されて用いられる請求項１のラジオ信号発信装置であり、
前記保持手段は、音再生信号生成装置の背面との接触面を有しており、
その接触面が、斜め上方を向いていることを特徴とするラジオ信号発信装置。
【請求項３】
ディスプレイと操作部のうちの少なくとも一方が前面に設けられたポータブル式の音再生信号生成装置と接続されて用いられる請求項１のラジオ信号発信装置であり、
前記保持手段は、音再生信号生成装置の背面との接触面を有しており、
その接触面が、ラジオ信号発信装置の設置面に対して垂直であることを特徴とするラジオ信号発信装置。
【請求項４】
ディスプレイと操作部のうちの少なくとも一方が前面に設けられたポータブル式の音再生信号生成装置と接続されて用いられる請求項１のラジオ信号発信装置であり、
前記保持手段は、音再生信号生成装置の背面との接触面を有しており、
その接触面が向く方向を変位可能であることを特徴とするラジオ信号発信装置。
【請求項５】
前記保持手段は、それ自体が変形することによって音再生信号生成装置を保持することを特徴とする請求項１〜４のいずれかのラジオ信号発信装置。
【請求項６】
前記保持手段が吸盤であることを特徴とする請求項１〜５のいずれかのラジオ信号発信装置。
【発明の詳細な説明】
【技術分野】
【０００１】
本発明は、ポータブル式の音再生信号生成装置と接続されて用いられ、その音再生信号生成装置で生成された音再生信号をラジオ信号（典型的にはＡＭ信号やＦＭ信号）に変調して発信する装置に関する。
【背景技術】
【０００２】
ポータブル式の音再生信号生成装置と接続され、音再生信号をラジオ信号に変調して発信するラジオ信号発信装置が開発されている。このラジオ信号発信装置によると、音再生信号生成装置で生成された音再生信号に応じた音をラジオのスピーカから出させることができる。
最近では、例えば、音再生信号生成装置とラジオ信号発信装置を自動車に持ち込み、自動車のラジオを所定の周波数に調整することによって、音再生信号生成装置で生成された音再生信号に応じた音を自動車のラジオで聞くことも行なわれるようになっている。
次の非特許文献１には、パソコンに記憶されている音情報を取り込んでＦＭ信号に変調して発信する装置が開示されている。
【非特許文献１】「ＰＲＯＤＵＣＴＳ  ＩＮＦＯＲＭＡＴＩＯＮ」、［ｏｎｌｉｎｅ］、Ｌｏｇｉｔｅｃ  Ｃｏｒｐ．、［平成１５年１０月２１日検索］、インターネット＜ＵＲＬ：http://www.logitec.co.jp/products/audio_dps/latfm01u.html＞
【発明の開示】
【発明が解決しようとする課題】
【０００３】
現在、ラジオ信号発信装置と音再生信号生成装置は別々の位置におかれた状態で使用されており、両装置を配置するために必要なスペースが大きいという問題がある。両装置をできるだけコンパクトに配置できるようにする必要がある。特に、自動車内で用いられる場合には、充分な配置スペースを確保するのが困難であるために、コンパクトに配置できるようにする必要性が大きい。
【０００４】
本発明は、上記した実情に鑑みてなされたものであり、ラジオ信号発信装置と音再生信号生成装置をコンパクトな状態で使用できるようにすることを目的とする。
【課題を解決するための手段】
【０００５】
本発明が提供する一つの技術は、ポータブル式の音再生信号生成装置と接続されて用いられ、その音再生信号生成装置で生成された音再生信号をラジオ信号に変調して発信するラジオ信号発信装置である。このラジオ信号発信装置は、平面視された場合に音再生信号生成装置とラジオ信号発信装置が重複するようにして音再生信号生成装置を保持する手段を備えることを特徴とする。
上記の「重複」とは、両装置が完全に重複する場合のみを意味するのではなく、両装置が部分的に重複する場合も含まれる。
このラジオ信号発信装置によると、音再生信号生成装置とラジオ信号発信装置が平面的にオーバーラップするようにして音再生信号生成装置が保持される。これにより、両装置がコンパクトにまとまった状態で使用されることになり、両装置を配置するためのスペースを小さくすることができる。
【０００６】
通常、音再生信号生成装置の前面には、種々の情報を表示するディスプレイやユーザーによって操作される操作部が配置される。音再生信号生成装置を手に持ちながら使用する場合は、ユーザー側にディスプレイや操作部を向けることができる。しかしながら、音再生信号生成装置を置いた状態で使用する場合は、その背面を下にして置かれることが多く、この場合は、ディスプレイや操作部が真上を向いてしまう。この場合、ディスプレイが見えにくかったり、操作部を操作し難いことが多い。特に、自動車のダッシュボードの上に音再生信号生成装置が置かれた場合には、真上を向いたディスプレイは運転者から非常に見え難い。
この問題を解決するために次の技術を提供する。即ち、ディスプレイと操作部のうちの少なくとも一方が前面に設けられたポータブル式の音再生信号生成装置と接続されて用いられるラジオ信号発信装置を提供する。このラジオ信号発信装置の前記した保持手段は、音再生信号生成装置の背面との接触面を有しており、その接触面が、斜め上方を向いていることを特徴とする。
このようにすると、例えばディスプレイが斜め上方を向いた状態で保持されることになり、ディスプレイが非常に見易い。例えば、自動車のダッシュボードの上に両装置が置かれた場合に、ラジオ信号発信装置の向きを調整することにより、音再生信号生成装置のディスプレイが運転者の方向を向くようにすることができる。
また、例えば操作部が斜め上方を向いた状態で保持されると操作性が向上する。保持されている音再生信号生成装置が非常に使い易い。
【０００７】
また、上記したラジオ信号発信装置において、前記した保持手段が、音再生信号生成装置の背面との接触面を有しており、その接触面が、ラジオ信号発信装置の設置面に対して垂直であってもよい。
このようにすると、例えばディスプレイが設置面に対して垂直になり、ディスプレイが非常に見易い。また、例えば操作部が設置面に対して垂直になり、操作性が向上する。
【０００８】
上記したラジオ信号発信装置において、前記した保持手段が、音再生信号生成装置の背面との接触面を有しており、その接触面が向く方向を変位可能であることが好ましい。
このようにすると、音再生信号生成装置とユーザーの位置関係に応じて、ディスプレイや操作部がユーザーの方向を向くように調整することができる。
なお、ここでの「変位可能」とは、例えば、ラジオ信号発信装置を正面視した場合に、左右に伸びる軸回りに接触面が回転可能であることを意味する（即ち、ラジオ信号発信装置の設置面に対する接触面の傾きが変位可能であることを意味する）。また、例えば、ラジオ信号発信装置を正面視した場合に、上下に伸びる軸回りに接触面が回転可能であることを意味する。
【０００９】
前記した保持手段は、それ自体が変形することによって音再生信号生成装置を保持するようにしてもよい。
それ自体が変形するものを保持手段として用いると、音再生信号生成装置を強く保持することができる。これにより、音再生信号生成装置の保持が解除されるという事態を回避できる。特に、自動車内で用いられる場合は、自動車内の振動によって保持が解除される事態を防止することができる。
【００１０】
前記した保持手段は吸盤であってもよい。
このラジオ信号発信装置によると、吸盤に張り付けるだけで音再生信号生成装置を保持することができ、音再生信号生成装置を簡単に保持することができる。保持されている音再生信号生成装置を取外すのも容易である。
吸盤を用いると、保持対象となる音再生信号生成装置の形状にかかわらず、音再生信号生成装置を保持することができる。非常に汎用的である。
【発明を実施するための最良の形態】
【００１１】
ここでは、下記の実施例に記載の技術の主要な特徴をまとめておく。
（形態１）ＦＭ信号発信装置からは接続線が伸びており、その接続線が音再生信号生成装置と接続される。
（形態２）ＦＭ信号発信装置の保持部材は、音再生信号生成装置との接触面が、ＦＭ信号発信装置の設置面に対して垂直になる状態と設置面に対して平行になる状態との間を変位できるようにしてもよい。
このようにすると、音再生信号生成装置とユーザーとの位置関係が変わるのに追従してディスプレイの角度を変えることができる。
（形態３）ＦＭ信号発信装置の上面に、音再生信号生成装置の底面を受け入れる保持部材が設けられるようにしてもよい。
【実施例】
【００１２】
（第１実施例）図面を参照して本発明の実施例を説明する。図１は、本実施例に係る音再生信号生成装置１０とそれを保持しているＦＭ信号発信装置５０を斜め前から見ている斜視図である。図２は、音再生信号生成装置１０とＦＭ信号発信装置５０を斜め後から見ている斜視図である。
本実施例の音再生信号生成装置１０は、略直方体形状であり、非常にコンパクトである（手のひらサイズである）。音再生信号生成装置１０は容易に持ち歩くことができる。
この音再生信号生成装置１０は、ハードディスク（図示省略）を内蔵しており、大容量の音楽情報を記憶しておくことができる。音再生信号生成装置１０は、イヤホンジャック１６（図２参照）を有しており、イヤホンと接続されて用いられることもできる。
図１によく示されるように、音再生信号生成装置１０は、その前面１０ａにディスプレイ１２が配置されている。ディスプレイ１２には種々の情報が表示される。例えば、ハードディスクの空き容量が表示されたり、現在出力されている音楽の曲番が表示されたりする。
音再生信号生成装置１０には、複数の操作キーからなる操作部１４が設けられている。操作部１４を操作することによって、ハードディスクに記憶されている音楽を再生することができる。
音再生信号生成装置１０は、ハードディスクに記憶されている音源情報を音再生信号に変換して出力するものである。音再生信号に変換するための具体的な構成については説明を省略する。音再生信号は、イヤホンジャック１６を介して外部に出力される。
【００１３】
ＦＭ信号発信装置５０は接続線５６を有している。図２によく示されるように、接続線５６は、ＦＭ信号発信装置５０の背面５０ｃから伸びている。接続線５６は、音再生信号生成装置１０のイヤホンジャック１６に接続されている。これにより、ＦＭ信号発信装置５０は、音再生信号生成装置１０で生成された音再生信号を入力することができる。
ＦＭ信号発信装置５０は、音再生信号生成装置１０で生成された音再生信号を入力し、入力された音再生信号をＦＭ信号に変調し、変調されたＦＭ信号を無線出力する。変調装置やＦＭ信号出力装置等の具体的な構成は従来のものと同様であればよく、その説明を省略する。
ＦＭ信号発信装置５０は、その右側面５０ｂに、電源部５２とチャネル切換え部５４を有している。ユーザーは、電源部５２やチャネル切換え部５４を操作することによって本装置５０を使用する。
【００１４】
図２によく示されるように、ＦＭ信号発信装置５０の上面５０aには吸盤保持部６０が固定されている。吸盤保持部６０は、略円筒形状であり、その中央部に孔６０ａが設けられている。孔６０ａの内部には、円柱状のピン（図示省略）が左右方向に伸びて配置されている。このピンの両端は、吸盤保持部６０の側面に設けられた２つのピン保持部６０ｂ，６０ｃで保持されている。２つのピン保持部６０ｂ，６０ｃは、ピンをその周方向に回転可能に保持している。
吸盤保持部６０は吸盤６２を保持している。この吸盤６２には、吸盤保持部６０の上記したピンが隙間なく貫通している。上記したピンは周方向に回転可能であるために、吸盤６２に力を加えるとピンが回転し、吸盤６２が揺動できるようになっている。吸盤保持部６０の孔６０ａは、後方側が閉じられている。従って、吸盤６２は、孔６０ａの後方側の内壁よりも後方に揺動できないようになっている。孔６０ａの前方側は開放されている。即ち、吸盤６２が孔６０ａを越えて前方に揺動できるようになっている。
吸盤６２の吸着面６２ａは、吸盤６２の揺動位置によって向きを変える。吸盤６２が最も後方に揺動した場合は吸着面６２ａが真上を向き、吸盤６２が最も前方に揺動した場合は吸着面６２ａが前方を向く。即ち、本実施例の吸盤６２は９０°の角度範囲にわたって揺動することができる。図１や図２では、吸着面６２ａが斜め上方を向いている。
【００１５】
吸盤６２は音再生信号生成装置１０を保持するために設けられている。
図１や図２では、吸盤６２の吸着面６２ａが音再生信号生成装置１０の背面１０ｂに吸着している様子が示されている。吸着面６２ａは斜め上方を向いており、これにより音再生信号生成装置１０のディスプレイ１２も斜め上方を向いている。なお、上記した吸盤保持部６０は、音再生信号生成装置１０の重みだけでは吸盤６２が揺動しないように設定されている。これにより、吸着面６２ａが斜め上方を向いた状態で音再生信号生成装置１０を吸着させても吸盤６２が揺動せず、ユーザーが設定した角度で音再生信号生成装置１０が保持される。
【００１６】
本実施例のＦＭ信号発信装置５０によると、音再生信号生成装置１０のディスプレイ１２が非常に見易い。例えば、自動車のダッシュボードの上にＦＭ信号発信装置５０と音再生信号生成装置１０を置いて使用する場合、音再生信号生成装置１０のディスプレイ１２を運転者の方に向けて配置することができる。
また、図１や図２からよくわかるように、音再生信号生成装置１０とＦＭ信号発信装置５０とが平面的に重複した状態で音再生信号生成装置１０が保持される。従って、両装置１０，５０がコンパクトにまとまった状態で使用されることになる。両装置１０，５０を配置するためのスペースが小さく維持される。
また、ＦＭ信号発信装置５０と音再生信号生成装置１０を別々に配置していると見栄えが悪くみえる場合があるが、本実施例では両装置１０，５０が一体化されるために見栄えがよい。一体化されたＦＭ信号発信装置５０と音再生信号生成装置１０を前面側から見ても、吸盤６２や吸盤保持部６０が見えないために見栄えがよい。
【００１７】
（第２実施例）
ここでは、第１実施例と異なる点を説明する。
図３（ａ）には、本実施例のＦＭ信号発信装置１５０の平面図が示されている。同図（ｂ）には、音再生信号生成装置１０を保持しているＦＭ信号発信装置１５０の正面図が示されている。
ＦＭ信号発信装置１５０の上面１５０ａには、２つの保持部材１６０ａ，１６０ｂが固定されている。保持部材１６０ａ，１６０ｂは、それぞれ略コの字形状をしており、ＦＭ信号発信装置１５０の上面１５０ａから上方に突出している。図３（ｂ）に示されるように、保持部材１６０ａ，１６０ｂは、音再生信号生成装置１０の底面を受け入れることによって音再生信号生成装置１０を保持する。
本実施例のようにすると、音再生信号生成装置１０のディスプレイ１２が正面を向くように保持することができる。このようにしてもディスプレイ１２が非常に見易く、コンパクトにまとまった状態で使用することができる。
【００１８】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
上記した第２実施例のＦＭ信号発信装置１５０では、保持部材１６０ａ，１６０ｂで保持可能な音再生信号生成装置が限定されてしまう。従って、大きさが異なる音再生信号生成装置も受け入れることができる保持手段を設けるようにすることが好ましい。例えば、ラジオ信号発信装置１５０の上面に、上方に伸びる部材を固定しておき、その部材に音再生信号生成装置を立て掛けることによって、音再生信号生成装置を保持するようにしてもよい。
また例えばマジックテープを用いて音再生信号生成装置を保持するようにしてもよい。
また例えばバネ等の付勢力を用いて音再生信号生成装置を保持するようにしてもよい。この場合、例えば、第２実施例の保持部材１６０ａ，１６０ｂを左右方向に移動可能に取り付け、それぞれの保持部材１６０ａ，１６０ｂを内側方向に付勢するようにしてもよい。こうすると、音再生信号生成装置を強く保持することができるとともに大きさの異なる音再生信号生成装置も保持することができるようになる。
【００１９】
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００２０】
【図１】音再生信号生成装置とＦＭ信号送信装置を斜め前から見た斜視図である。
【図２】音再生信号生成装置とＦＭ信号送信装置を斜め後から見た斜視図である。
【図３】（ａ）第２実施例のＦＭ信号送信装置の平面図である。（ｂ）第２実施例のＦＭ信号送信装置の正面図である。
【符号の説明】
【００２１】
１０・・音再生信号生成装置
１２・・ディスプレイ
１４・・操作部
１６・・イヤホンジャック
５０・・ＦＭ信号送信装置
５６・・接続線
６０・・吸盤保持部
６２・・吸盤
【図１】
2005130400.tif 000003
【図２】
2005130400.tif 000004
【図３】
2005130400.tif 000005